(57)【要約】      （修正有）【課題】ノートパソコン等を載置するサイドテーブルの天板は、自在に回転できてどのような姿勢でも使用でき、予め決めた軌跡内での移動を可能にする。また、ソファの底部に位置できるベース脚、伸縮可能な支柱などにより、ソファでも楽な姿勢でパソコンを使用可能とする。【解決手段】概略長方形状の天板１をベース４の偏芯位置に立設した支柱３上端に固着した天板受け２上に載置したサイドテーブルの回転駆動装置において、天板受け２の上板に軌跡を決めるガイドを刻設し、天板受けの下板に長手方向を向くガイド溝を設け、アーム板の両端に端部から突出するようにしてローラを回転自在に支持させ、アーム板の中央に中心軸を突設した案内部材の中心軸をガイド溝に案内させると共に、案内部材のローラをガイドに当接させて天板１を使い勝手の良い位置まで移動させるようにしたサイドテーブルの回転駆動装置とした。【選択図】図１
2011036359.tif 000002
【特許請求の範囲】
【請求項１】
概略長方形状の天板を支柱上端に固着した天板受け上に載置したサイドテーブルの回転駆動装置において、天板受けの上板に軌跡を決めるガイドを刻設し、天板受けの下板に長手方向を向くガイド溝を設け、アーム板の両端に端部から突出するようにしてローラを回転自在に支持させ、アーム板の中央に中心軸を突設した案内部材の中心軸をガイド溝に案内させると共に、案内部材のローラをガイドに当接させて天板を使い勝手の良い位置まで移動させるようにしたサイドテーブルの回転駆動装置。
【発明の詳細な説明】
【技術分野】
【０００１】
本発明は、サイドテーブルの回転駆動装置に関するものである。
【背景技術】
【０００２】
ノートパソコン等を載置するデスクは、自在に回転できてどのような姿勢でも使用できることが求められている。
【０００３】
ソファの近傍に配置されたサイドテーブルの天板は予め決めた軌跡内での移動が可能なことが求められている。
【０００４】
ソファの近傍に配置したサイドテーブルに対して、脚が邪魔で天板が使いにくい、デザインの気に入ったものが見つからない、ちょうど良い高さのテーブルがない、ダイニングテーブルが片付かない、ソファでも楽な姿勢でパソコンを使いたい等の要望がある。
【先行技術文献】
【特許文献】
【０００５】
【特許文献１】特開２００２−１０１９６６
【特許文献２】特開２００１−２３８７３４
【特許文献３】特開２００３−１４４２７０
【発明の概要】
【発明が解決しようとする課題】
【０００６】
ノートパソコン等を載置する天板は、伸縮する支柱に支持され、支柱の下端にはベースが設けられており、サイドテーブルの高さは伸縮する支柱で可能であり、ソファの底部に入ることができる高さの低いベースを使用するので、ソファの近傍にまで配置できる。
【０００７】
サイドテーブルの天板を予め決めた軌跡内を移動させて、天板を使い勝手の良い位置まで移動できるようにすることが求められている。
【課題を解決するための手段】
【０００８】
サイドテーブルの天板を予め決めた軌跡内を移動させて、天板を使い勝手の良い位置まで移動できるようにすべく、概略長方形状の天板を支柱上端に固着した天板受け上に載置したサイドテーブルの回転駆動装置において、天板受けの上板に軌跡を決めるガイドを刻設し、天板受けの下板に長手方向を向くガイド溝を設け、アーム板の両端に端部から突出するようにしてローラを回転自在に支持させ、アーム板の中央に中心軸を突設した案内部材の中心軸をガイド溝に案内させると共に、案内部材のローラをガイドに当接させて天板を使い勝手の良い位置まで移動させるようにしたサイドテーブルの回転駆動装置とした。
【発明の効果】
【０００９】
概略長方形状の天板を支柱上端に固着した天板受け上に載置したサイドテーブルの回転駆動装置において、天板受けの上板に軌跡を決めるガイドを刻設し、天板受けの下板に長手方向を向くガイド溝を設け、アーム板の両端に端部から突出するようにしてローラを回転自在に支持させ、アーム板の中央に中心軸を突設した案内部材の中心軸をガイド溝に案内させると共に、案内部材のローラをガイドに当接させて天板を使い勝手の良い位置まで移動させるようにしたサイドテーブルの回転駆動装置としたので、サイドテーブルの天板を予め決めた軌跡内を移動させて、天板を使い勝手の良い位置まで移動することができる。
【図面の簡単な説明】
【００１０】
【図１】本発明のサイドテーブルの分解斜視図である。
【図２】本発明のサイドテーブルの天板受け部の斜視図である。
【図３】本発明のサイドテーブルの天板底面に案内部材を取付ける状態の分解斜視図である。
【図４】本発明のサイドテーブルの天板底面に天板受けを載置した状態の平面図である。
【図５】中心軸がガイド溝に案内されてガイド溝の他端まで移動した状態とその途中の状態を天板の仮想線で示す平面図である。
【図６】本発明の案内部材の中心軸がガイド溝に案内され、ローラをガイドに当接させて、サイドテーブルの天板を予め決めた軌跡内を移動させ、天板を使い勝手の良い位置まで移動させることを説明する平面図である。
【発明を実施するための形態】
【００１１】
図１に本発明のサイドテーブルが示されている。
【００１２】
サイドテーブルは、概略長方形状の天板１と、天板１は天板受け２の上に載置され、天板受け２は支柱３の上端に固着され、支柱３の下端にはベース４を設ける。
【００１３】
支柱３は支柱外筒５内に支柱内筒６を摺動自在に設け伸縮可能とする。
【００１４】
ベース４はソファの底部に入ることができる高さの低いものとする。
【００１５】
図２のサイドテーブルの天板受け２の上板７には、天板１の軌跡を決めるガイド８を刻設し、天板受け２の下板９には長手方向を向くガイド溝１０を設ける。
【００１６】
図３は、サイドテーブルの天板１の底面に案内部材１１の取付け状態を説明する分解斜視図である。
【００１７】
案内部材１１は、アーム板１２の両端に端部から突出するようにしてローラ１３を回転自在に支持させ、アーム板１２の中央に中心軸１４を突出させる。
【００１８】
図４はサイドテーブルの天板１の底面に天板受け２を載置した状態の平面図である。
【００１９】
天板受け２の上板７に軌跡を決めるガイド８を刻設し、天板受け２の下板９に長手方向を向くガイド溝１０を設ける。
【００２０】
図5は、中心軸１４がガイド溝１０に案内されてガイド溝14の他端まで移動した状態と、その途中の状態を天板1の仮想線で示す。
【００２１】
図６は、本発明の案内部材１１の中心軸１４をガイド溝１０に案内され、ローラ１３をガイド８に当接させて、サイドテーブルの天板１を予め決めた軌跡内を移動させて、天板１を使い勝手の良い位置まで移動させることを説明する平面である。
【００２２】
天板１を移動させると、図において左側に位置した案内部材１１は両側のローラ１３をガイド８に当接させている。
【００２３】
さらに、天板１を移動させると、中心軸１４はガイド溝１０に案内され、ローラ１３は予め決めたガイド溝１０により規制されて一方のローラ１３が前方に進め、さらに天板１を移動させると、規制されているガイド８により他のローラ１３が進み、案内部材１１が取付けられている天板１を使い勝手の良い位置まで移動させることができる。
【実施例】
【００２４】
天板の材質は、メラミン化粧板（ホワイト／木目）、
支柱の材質は、スチールで粉体焼付塗装、
サイズは天板が５５０ｍｍ×４００ｍｍ×１８ｍｍ、
全高が最大８００ｍｍ×最小５６５ｍｍ、
重量は８．５ｋｇ、  
である。
【産業上の利用可能性】
【００２５】
本発明は、サイドテーブルの回転駆動装置であるが、サイドテーブルに限らず一般向けのテーブルや多種棚類、カウンター、陳列台などにも利用できる。
【符号の説明】
【００２６】
１…天板
３…支柱
２…天板受け
７…天板受けの上板
８…ガイド
９…天板受けの下板
１０…ガイド溝
１２…アーム板
１３…ローラ
１４…中心軸
【図１】
2011036359.tif 000003
【図２】
2011036359.tif 000004
【図３】
2011036359.tif 000005
【図４】
2011036359.tif 000006
【図５】
2011036359.tif 000007
【図６】
2011036359.tif 000008